(57)【要約】【課題】補正処理対象とする着目画素のフレーム間の画像データを参照して補正する処理と、着目画素の周辺画素の画像データを参照して補正する処理とを共用した場合の補正程度の過不足を低減する。【解決手段】映像表示装置であって、現フレームの映像信号レベルと、少なくとも１フレーム前の映像信号レベルとに基づいてフレーム間補正量を取得する第１の取得部と、着目画素の映像信号レベルと着目画素の周辺画素の映像信号レベルとに基づいて画素間補正量を取得する第２の取得部と、フレーム間補正量と画素間補正量との少なくとも１つに基づいて映像補正量を決定する決定部と、映像補正量に応じて現フレームの着目画素の映像信号レベルを補正して出力する補正部とを備える。【選択図】  図１
2015219459.tif 000002
【特許請求の範囲】
【請求項１】
現フレームの映像信号レベルと、少なくとも１フレーム前の映像信号レベルとに基づいてフレーム間補正量を取得する第１の取得手段と、
着目画素の映像信号レベルと前記着目画素の周辺画素の映像信号レベルとに基づいて画素間補正量を取得する第２の取得手段と、
前記フレーム間補正量と前記画素間補正量との少なくとも１つに基づいて映像補正量を決定する決定手段と、
前記映像補正量に応じて現フレームの前記着目画素の映像信号レベルを補正して出力する補正手段と
を備えることを特徴とする映像表示装置。
【請求項２】
前記映像表示装置は、映像表示デバイスを用いて映像を表示し、
前記第１の取得手段は、
前記着目画素の現フレームの映像信号レベルと、少なくとも１フレーム前の映像信号レベルとに基づいて、前記映像表示デバイスの応答特性を補償する補正量を取得することを特徴とする請求項１に記載の映像表示装置。
【請求項３】
前記第２の取得手段は、前記着目画素の映像信号レベルと、前記着目画素に隣接する画素の映像信号レベルとに基づいて、前記着目画素の映像信号レベルが予め定める上限レベル及び下限レベルに収まるように補正量を取得することを特徴とする請求項１または２に記載の映像表示装置。
【請求項４】
前記決定手段は、前記フレーム間補正量と前記画素間補正量とを合成して前記映像補正量を決定することを特徴とする請求項１乃至３の何れか１項に記載の映像表示装置。
【請求項５】
前記決定手段は、前記フレーム間補正量と前記画素間補正量とのいずれかの補正量を、補正度合に基づいて選択して前記映像補正量として決定することを特徴とする請求項１乃至３の何れか１項に記載の映像表示装置。
【請求項６】
前記決定手段は、前記フレーム間補正量が閾値以下である場合、前記画素間補正量を選択して前記映像補正量として決定することを特徴とする請求項５に記載の映像表示装置。
【請求項７】
前記決定手段は、前記画素間補正量が閾値以下である場合、前記フレーム間補正量を選択して前記映像補正量として決定することを特徴とする請求項５に記載の映像表示装置。
【請求項８】
前記決定手段は、前記フレーム間補正量が前記画素間補正量よりも大きい場合、前記フレーム間補正量を選択して前記映像補正量として決定することを特徴とする請求項５に記載の映像表示装置。
【請求項９】
前記決定手段は、前記フレーム間補正量が前記画素間補正量よりも大きくない場合、前記画素間補正量を選択して前記映像補正量として決定することを特徴とする請求項５に記載の映像表示装置。
【請求項１０】
前記決定手段は、前記フレーム間補正量を前記画素間補正量に応じて補正して前記映像補正量として決定することを特徴とする請求項１乃至３の何れか１項に記載の映像表示装置。
【請求項１１】
前記決定手段は、前記画素間補正量を前記フレーム間補正量に応じて補正して前記映像補正量として決定することを特徴とする請求項１乃至３の何れか１項に記載の映像表示装置。
【請求項１２】
前記映像表示装置は、映像表示デバイスを用いて映像を表示し、
少なくとも１フレーム前の映像信号レベルと、少なくとも１フレーム前の映像補正量とに基づいて、前記映像表示デバイスが少なくとも１フレーム期間経過後に到達する信号レベルを予測する予測手段をさらに備え、
前記第１の取得手段は、前記現フレームの映像信号レベルと、前記到達する信号レベルとに基づいて前記フレーム間補正量を取得することを特徴とする請求項１乃至１１の何れか１項に記載の映像表示装置。
【請求項１３】
現フレームの映像信号レベルと、少なくとも１フレーム前の映像信号レベルとに基づいてフレーム間の映像信号レベルの変化を検知する検知手段をさらに備え、
前記第１の取得手段は、前記検知手段により前記フレーム間の映像信号レベルの変化が検知されない場合、前記フレーム間補正量を０として取得することを特徴とする請求項１２に記載の映像表示装置。
【請求項１４】
映像表示装置の制御方法であって、
第１の取得手段が、現フレームの映像信号レベルと、少なくとも１フレーム前の映像信号レベルとに基づいてフレーム間補正量を取得する工程と、
第２の取得手段が、着目画素の映像信号レベルと前記着目画素の周辺画素の映像信号レベルとに基づいて画素間補正量を取得する工程と、
決定手段が、前記フレーム間補正量と前記画素間補正量との少なくとも１つに基づいて映像補正量を決定する工程と、
補正手段が、前記映像補正量に応じて現フレームの前記着目画素の映像信号レベルを補正して出力する工程と
を有することを特徴とする映像表示装置の制御方法。
【請求項１５】
請求項１４に記載の映像表示装置の制御方法の各工程をコンピュータに実行させるためのプログラム。
【発明の詳細な説明】
【技術分野】
【０００１】
本発明は、映像表示装置、映像表示装置の制御方法およびプログラムに関する。
【背景技術】
【０００２】
近年、様々な映像表示デバイスを備えた映像表示装置が幅広く使用されている。特に、液晶表示パネルを用いた液晶表示装置は、ＴＶやＰＣの表示装置として幅広く普及している。液晶表示パネルは、映像信号レベルに応じた駆動電圧を液晶表示パネルに印加することによって光の透過率を調節し、所望の映像を表示することができる。
【０００３】
しかしながら、液晶表示パネルは、印加する駆動電圧の変化に対して液晶応答速度が十分に早くないため、例えば動画像を表示した場合に残像が発生する場合がある。そこで、特許文献１では、液晶応答速度を改善するための駆動方法として、次に表示する画像データを以前の画像データと比較し、液晶応答特性を補償しながら駆動するオーバードライブ補正処理が提案されている。
【０００４】
また、液晶表示パネルは、いわゆるディスクリネーションと呼ばれる液晶配向不良起因で画質劣化が生じる場合がある。特許文献２では、ディスクリネーションに起因した画質劣化を改善する方法として、隣接画素の諧調レベル差に応じて画素間の駆動電圧の電位差を小さくする駆動方法が提案されている。
【０００５】
このように、オーバードライブ補正処理によって、液晶応答速度に起因した画質劣化を改善することが可能であり、またディスクリネーション補正処理によって、ディスクリネーションに起因した画質劣化を改善することが可能である。
【先行技術文献】
【特許文献】
【０００６】
【特許文献１】特許第０３３０５２４０号
【特許文献２】米国特許第６７２７８７２号明細書
【発明の概要】
【発明が解決しようとする課題】
【０００７】
しかしながら、特許文献１および特許文献２に記載の技術では、異なる補正処理を同時に、または順次行うことによって補正程度に過不足が生じる場合があり、画質劣化の改善程度に影響が生じる場合があった。
【０００８】
本発明は、上述の課題に鑑みてなされたものであり、補正処理対象とする着目画素のフレーム間の画像データを参照して補正する処理と、着目画素の周辺画素の画像データを参照して補正する処理とを共用した場合の補正程度の過不足を低減することを目的とする。
【課題を解決するための手段】
【０００９】
上記の目的を達成する本発明に係る映像表示装置は、
現フレームの映像信号レベルと、少なくとも１フレーム前の映像信号レベルとに基づいてフレーム間補正量を取得する第１の取得手段と、
着目画素の映像信号レベルと前記着目画素の周辺画素の映像信号レベルとに基づいて画素間補正量を取得する第２の取得手段と、
前記フレーム間補正量と前記画素間補正量との少なくとも１つに基づいて映像補正量を決定する決定手段と、
前記映像補正量に応じて現フレームの前記着目画素の映像信号レベルを補正して出力する補正手段と
を備えることを特徴とする。
【発明の効果】
【００１０】
本発明によれば、補正処理対象とする着目画素のフレーム間の画像データを参照して補正する処理と、着目画素の周辺画素の画像データを参照して補正する処理とを共用した場合の補正程度の過不足を低減することが可能となる。
【図面の簡単な説明】
【００１１】
【図１】第１実施形態に係る映像表示装置の機能ブロック図。
【図２】第１実施形態に係る映像表示装置が実施する処理手順の一部を示すフローチャート。
【図３】第２実施形態に係る映像表示装置が実施する処理手順の一部を示すフローチャート。
【図４】第３実施形態に係る映像表示装置が実施する処理手順の一部を示すフローチャート。
【図５】第５実施形態に係る映像表示装置が実施する処理手順の一部を示すフローチャート。
【図６】第６実施形態における映像表示装置の機能ブロック図。
【発明を実施するための形態】
【００１２】
以下、添付の図面を参照しながら、本発明の好適な実施形態について説明する。なお、以下説明する実施形態は、本発明を具体的に実施した場合の一例を示すもので、特許請求の範囲に記載の構成の具体的な実施例の１つである。
【００１３】
（第１実施形態）
図１は、第１実施形態に係る映像表示装置の機能ブロック図である。図１において、１０１はフレームメモリ部、１０２はフレーム間補正量取得部、１０３は画素間補正量取得部、１０４は映像補正量決定部、１０５は映像補正部である。なお、本発明の映像表示装置は、図示しない液晶駆動部と液晶表示パネルとを有し、液晶駆動部を介して液晶表示パネルに映像を表示するものとする。また、図示しない映像調整部を有してもよく、映像調整部において、例えばコントラスト強調処理やガンマ変換処理が施された映像信号が入力されてもよい。これらの構成要素の各機能の制御は不図示のＣＰＵがメモリからプログラムを読み出して実行することにより実施される。
【００１４】
フレームメモリ部１０１は、図示しないメモリコントローラを含み、入力される映像信号を格納し、少なくとも１フレーム遅延させてフレーム間補正量取得部１０２へと出力する。
【００１５】
フレーム間補正量取得部１０２は、現フレームの映像信号レベルと、少なくとも１フレーム前の映像信号レベルとに応じて、着目画素の補正量を算出して取得する。１フレーム期間とは、例えば６０Ｈｚのプログレッシブ入力の場合は１６.７ｍｓｅｃである。但し、これに限定されるものではなく、１フレームの映像信号を２つ以上のフィールドに分割して表示するものであってもよい。本発明では、１フレームを分割して表示した際の１フィールドについても、１フレームと表記する。
【００１６】
以下、フレーム間補正量取得部１０２は、オーバードライブ補正処理を行なうものとして説明する。オーバードライブ補正処理は、映像信号レベルを強調するように補正することによって、液晶表示パネルに印加する駆動電圧を増減する処理である。その目的は、液晶の応答特性を補償することによる液晶応答速度の改善である。液晶表示パネルは、印加する駆動電圧の変化に対して液晶応答速度が十分に早くないために、必ずしも１フレーム期間内で所望の信号レベルに到達するとは限らない。そこで、オーバードライブ補正処理を行なうことで、映像信号レベルを強調し、所望の信号レベルへの遷移期間を短くする。この時、オーバードライブ補正量は、現フレームの映像信号レベルと１フレーム前の映像信号レベル、及び液晶表示パネルの応答特性によって決定する。
【００１７】
フレーム間補正量取得部１０２は、現フレームの映像信号レベルと、１フレーム前の映像信号レベルとに応じてオーバードライブ補正量の対応付けが行われたＬＵＴ（Lookup Table）を有しており、着目画素毎にオーバードライブ補正量を選択する。オーバードライブ補正量は、着目画素の映像信号レベルに対して加減算する信号レベルを示す。フレーム間補正量取得部１０２は、選択されたオーバードライブ補正量をフレーム間補正量として映像補正量決定部１０４へと出力する。
【００１８】
画素間補正量取得部１０３は、画像の２次元空間情報を用いて着目画素を補正する処理を行う。例えば、着目画素とその周辺画素の映像信号レベルを用いて処理する２次元空間フィルタリング処理である。
【００１９】
以下、画素間補正量取得部１０３は、ディスクリネーション補正処理を行なうものとして説明する。ディスクリネーション補正処理は、ディスクリネーションに起因した画質劣化を改善するために映像信号レベルを補正する処理である。
【００２０】
例えば、画素間補正量取得部１０３は、着目画素の映像信号レベルと着目画素に隣接する画素８点のうちのいずれか（複数でもよい）の映像信号レベルとに応じてディスクリネーション補正量の対応付けが行われたＬＵＴを有しており、着目画素毎にディスクリネーション補正量を選択する。ディスクリネーション補正量は、着目画素の映像信号レベルに対して加減算する信号レベルを示し、映像信号レベルが所定の上限レベル及び下限レベルに収まるように選択される。画素間補正量取得部１０３は、選択されたディスクリネーション補正量を画素間補正量として映像補正量決定部１０４へと出力する。
【００２１】
映像補正量決定部１０４は、フレーム間補正量と画素間補正量とに応じて、着目画素の映像信号レベルに対して適用する映像補正量を決定する。本実施形態では、フレーム間補正量の絶対値が所定の閾値より小さいか否かを判定し、閾値以下の場合は、画素間補正量を選択して出力し、閾値より大きい場合は、フレーム間補正量を選択して出力する。選択されたいずれかの補正量は、映像補正部１０５にて着目画素毎に加減算される。
【００２２】
次に、図２のフローチャートを参照して、第１実施形態に係る映像表示装置の映像補正量決定部１０４が実施する処理手順を説明する。なお、前述の通り、フレーム間補正量はオーバードライブ補正量として、また、画素間補正量はディスクリネーション補正量として説明を行う。
【００２３】
まず、ステップＳ２０１において、映像補正量決定部１０４は、オーバードライブ補正量（フレーム間補正量）の絶対値が所定の閾値以下であるか否かを判定する。絶対値が閾値以下の場合は（Ｓ２０１；ＹＥＳ）、ステップＳ２０２へ進む。一方、絶対値が閾値より大きい場合は（Ｓ２０１；ＮＯ）、ステップＳ２０３へ進む。
【００２４】
ステップＳ２０２において、映像補正量決定部１０４は、ディスクリネーション補正量（画素間補正量）を選択して出力する。
【００２５】
ステップＳ２０３において、映像補正量決定部１０４は、オーバードライブ補正量（フレーム間補正量）を選択して出力する。以上で図２のフローチャートの各処理が終了する。図２の処理フローを行うことによって、オーバードライブ補正量の絶対値が小さい（閾値以下の）場合、液晶応答速度の影響による画質の劣化が少ないと判断し、ディスクリネーション補正処理を優先的に適用することができる。なお、閾値は最小値（０）としてもよいし、任意の値であってもよい。例えば、閾値を最小値（０）とした場合、オーバードライブ補正量が０、つまりオーバードライブ補正処理が施されない映像信号レベルに対してのみディスクリネーション補正処理が適用されることになる。また、閾値は映像信号レベルのダイナミックレンジの１０％以内とすることが望ましい。
【００２６】
なお、ディスクリネーション補正量の絶対値と閾値とを比較し、閾値以下の場合は、オーバードライブ補正量を選択する構成であってもよい。この場合は、ディスクリネーション補正量が小さい（閾値以下の）場合、ディスクリネーションの影響による画質の劣化が少ないと判断し、液晶応答速度の改善処理を優先的に適用することができる。
【００２７】
また、閾値はユーザが優先的に適用したい補正処理に応じて設定してもよいし、入力映像信号種別や映像表示装置の使用状態に応じて決定するものとしてもよい。例えば、動きの少ない映像に対してはディスクリネーション補正処理が優先的に適用されるよう閾値を決定してもよい。また、画素間で信号レベル差の大きい映像信号が入力される場合に、ディスクリネーション補正処理が優先的に適用されるよう閾値を決定してもよい。
【００２８】
以上説明したように、本実施形態では、フレーム間補正処理と画素間補正処理とのいずれか一方の補正量を選択し、補正処理を適用するため、複数の補正処理を共用した際の補正の過不足を低減することが可能であり、即ち改善程度の過不足の低減が可能である。
【００２９】
また、その際、本実施形態では、フレーム間補正量の絶対値と閾値との大小関係によって映像の画質劣化に対する影響度を推定し、適用する補正処理を決定する構成である。これによって映像の画質劣化に対する影響度が大きいと推定した要因に対して補正処理を優先的に適用するため、良好な補正処理を実現することが可能となる。特に、オーバードライブ補正処理とディスクリネーション補正処理とを共用した場合であっても良好な映像表示デバイスの補正処理を実現することができる。
【００３０】
（第２実施形態）
第２実施形態では、第１実施形態における映像補正量決定部１０４の処理が異なる。映像表示装置の構成例は第１実施形態と同じであり、同様の機能については説明を省略する。第２実施形態における映像補正量決定部１０４は、フレーム間補正量の絶対値と画素間補正量の絶対値とを比較し、補正度合の大きい補正量を選択して出力する。出力された補正量は、映像補正部１０５により着目画素毎に加減算される。
【００３１】
次に、図３のフローチャートを参照して、第１実施形態に係る映像表示装置の映像補正量決定部１０４が実施する処理手順を説明する。なお、前述の通り、フレーム間補正量はオーバードライブ補正量として、また、画素間補正量はディスクリネーション補正量として説明を行う。
【００３２】
まず、ステップＳ３０１において、映像補正量決定部１０４は、オーバードライブ補正量（フレーム間補正量）の絶対値とディスクリネーション補正量の絶対値とを比較し、オーバードライブ補正量の絶対値がディスクリネーション補正量の絶対値よりも大きいか否かを判定する。オーバードライブ補正量の絶対値がディスクリネーション補正量の絶対値よりも大きい場合（Ｓ３０１；ＹＥＳ）、ステップＳ３０２へ進む。一方、オーバードライブ補正量の絶対値がディスクリネーション補正量の絶対値以下である場合（Ｓ３０１；ＮＯ）、ステップＳ３０３へ進む。
【００３３】
ステップＳ３０２において、映像補正量決定部１０４は、オーバードライブ補正量（フレーム間補正量）を選択して出力する。
【００３４】
ステップＳ３０３において、映像補正量決定部１０４は、ディスクリネーション補正量（画素間補正量）を選択して出力する。以上で図３のフローチャートの各処理が終了する。  図３の処理フローを行うことによって、補正度合の大きい補正処理を優先的に適用することが可能となる。なお、第１実施形態で図２を参照して説明した処理フローと、本実施形態における図３を参照して説明した処理フローの両方を適用することも可能である。例えば、図２の処理フローに基づいて閾値との大小関係を判定し（ステップＳ２０１）、閾値以下の場合はステップＳ２０２へと進み、閾値より大きいと判定した場合は、ステップＳ３０１へと移行し、絶対値の大きい補正量を選択して出力するように構成してもよい。
【００３５】
以上、本実施形態では、フレーム間補正処理と画素間補正処理とのいずれか一方の補正量を選択し、補正処理を適用するため、複数の補正処理を共用した際の補正の過不足を低減することが可能であり、即ち改善程度の過不足の低減が可能である。
【００３６】
また、その際、本実施形態では、各補正量の絶対値を比較し、その大小関係によって映像の画質劣化に対する影響度を推定し、適用する補正処理を決定する構成である。これによって映像の画質劣化に対する影響度が大きいと推定した要因に対して補正処理を優先的に適用することが可能となるため、良好な補正処理を実現することが可能となる。
【００３７】
（第３実施形態）
第３実施形態では、第１実施形態における映像補正量決定部１０４の処理が異なる。映像表示装置の構成例は第１実施形態と同じであり、同様の機能については説明を省略する。第３実施形態における映像補正量決定部１０４は、フレーム間補正量と画素間補正量との増減方向が同じか否かを判定し、同じ場合は２つの補正量を合成して出力する。
【００３８】
ここで補正量の増減方向とは、補正前後で着目画素の映像信号レベルが大きくなるか否かが基準であり、補正量を映像信号レベルに対して加減算する構成であるならば、補正量の符号が同一であるか否かが判定条件となる。また、例えば映像信号レベルに対して補正量を乗算（ゲイン演算）する構成である場合は、補正量が１．０倍より大きいか否かが判定条件となる。本実施形態では、補正量は符号を有し、映像信号レベルに対して加減算する構成であるものとする。
【００３９】
次に、図４のフローチャートを参照して、第１実施形態に係る映像表示装置の映像補正量決定部１０４が実施する処理手順を説明する。なお、前述の通り、フレーム間補正量はオーバードライブ補正量として、また、画素間補正量はディスクリネーション補正量として説明を行う。
【００４０】
まず、ステップＳ４０１において、映像補正量決定部１０４は、オーバードライブ補正量とディスクリネーション補正量の符号を比較し、補正量の増減方向が同じであるか否かを判定する。符号が同じである、すなわち補正量の増減方向が同じである場合（Ｓ４０１；ＹＥＳ）、ステップＳ４０２へ進む。一方、符号が異なる、すなわち補正量の増減方向が異なる場合（Ｓ４０１；ＮＯ）、ステップＳ４０３へ進む。
【００４１】
ステップＳ４０２において、映像補正量決定部１０４は、オーバードライブ補正量とディスクリネーション補正量とを合成して出力する。例えば、各補正量が「＋３０」と「＋１５」の場合は、「＋４５」を出力し、また例えば各補正量が「−３０」と「−１５」の場合は、「−４５」を出力する。
【００４２】
ステップＳ４０３−ステップＳ４０５の各処理は図３を参照して説明したステップＳ３０１−ステップ３０３の各処理と同様であるため、説明を省略する。以上で図４のフローチャートの各処理が終了する。
【００４３】
なお、第１実施形態で図２を参照して説明した処理フローを組み合わせて適用することも可能である。例えば、ステップＳ４０１において符号が異なる場合は、図２の処理フローに基づいてフレーム間補正量が閾値以下であるか否かを判定し（ステップＳ２０１）、閾値以下である場合はステップＳ２０２へと進む。一方、閾値より大きい場合は、ステップＳ４０３へと移行し、絶対値の大きい補正量を選択して出力する。
【００４４】
また、例えば、まず図２の処理フローに基づいて閾値との大小関係を判定し（ステップＳ２０１）、閾値以下の場合はステップＳ２０２へと進み、閾値より大きいと判定した場合は、ステップＳ４０１へと進み、以降は図４の処理フローに基づいて処理してもよい。いずれの処理フローにおいても、フレーム間補正量の増減方向と画素間補正量の増減方向とが同じ場合は２つの補正量を合成して出力することができる。
【００４５】
なお、映像信号レベルに対して補正量を乗算（ゲイン演算）する構成である場合は、両者の補正量を乗算した結果を合成結果として出力すればよい。
【００４６】
以上説明したように、本実施形態では、フレーム間補正処理と画素間補正処理とで補正量の増減方向が同じ場合は、補正量を合成する。これによっていずれの補正処理も適用することができるため、複数の補正処理を共用した際の補正不足を低減することが可能であり、即ち改善程度不足の低減が可能である。
【００４７】
（第４実施形態）
第４実施形態では、第１実施形態における映像補正量決定部１０４の処理が異なる。映像表示装置の構成例は第１実施形態と同じであり、同様の機能については説明を省略する。第３実施形態では、フレーム間補正量と画素間補正量とのいずれか一方の補正量を選択する、及び／又は、フレーム間補正量と画素間補正量との各増減方向が同じ場合は２つの補正量を合成して出力する例について説明した。
【００４８】
本実施形態では、増減方向によらず合成する場合の例であり、映像補正量決定部１０４が、フレーム間補正処理と画素間補正処理との各補正量を合成して出力する。ここで合成とは、補正量を映像信号レベルに対して加減算する構成であるならば、各補正量を加算することである。また、例えば映像信号レベルに対して補正量を乗算（ゲイン演算）する構成であるならば、各補正量を乗算することである。
【００４９】
なお、この時、所定の割合で合成することが望ましい。例えば補正量を映像信号レベルに対して加減算する構成であるならば、各補正量に対して所定のゲイン係数を乗算した後に加算する。所定のゲイン係数は１倍以下とすることが望ましい。また、合成後の補正量が所定の上限値及び下限値に収まるように調整すると、補正処理を共用した際の補正の過不足を低減することができる。
【００５０】
以上説明したように、本実施形態では、フレーム間補正処理と画素間補正処理との各補正量を合成することで、各補正処理の共用が可能となる。また、所定の割合で合成することによって、及び合成後の補正量を所定の範囲内に収まるよう調整することによって、複数の補正処理を共用した際の補正の過不足を低減することが可能となる。
【００５１】
（第５実施形態）
第５実施形態では、第１実施形態における映像補正量決定部１０４の処理が異なっており、各補正量に応じて補正量を調整して出力する例を説明する。映像表示装置の構成例は第１実施形態と同じであり、同様の機能については説明を省略する。
【００５２】
次に、図５のフローチャートを参照して、第５実施形態に係る映像表示装置の映像補正量決定部１０４が実施する処理手順を説明する。なお、前述の通り、フレーム間補正量はオーバードライブ補正量として、また、画素間補正量はディスクリネーション補正量として説明を行う。
【００５３】
まず、ステップＳ５０１において、映像補正量決定部１０４は、フレーム間補正量または画素間補正量のうちいずれか一方の補正量を選択する。ここでは、各補正量の絶対値に基づいて大きい方の補正量を選択しても良いし、予め決められた優先的に適用したい補正処理の補正量を選択しても良い。
【００５４】
次に、ステップＳ５０２において、映像補正量決定部１０４は、選択した補正量を、選択していない補正量に応じて調整して出力する。例えば、各補正量の符号が同じ場合は、予め定めた最大補正量に収まるよう合成して出力する。一方、符号が異なる場合は、補正量を低減するよう調整することが望ましく、例えば、選択していない補正量に所定のゲイン係数を乗算した後、選択した補正量に対して合成する。この時、所定のゲイン係数は１倍以下とすることが望ましい。以上で図５のフローチャートの各処理が終了する。
【００５５】
以上説明したように、本実施形態では、フレーム間補正処理と画素間補正処理との各補正量の大きさや増減方向に応じて補正量を調整する。これによって、複数の補正処理を共用した際の補正の過不足を低減することが可能であり、即ち改善程度の過不足の低減が可能である。
【００５６】
（第６実施形態）
前述の各実施形態では、フレーム間補正処理としてオーバードライブ補正処理を例として説明した。前述の通り、オーバードライブ補正処理は、映像信号レベルを強調するように補正することによって、液晶表示パネルに印加する駆動電圧を増減する処理である。その目的は、液晶の応答特性を補償することによる液晶応答速度の改善である。液晶表示パネルは、印加する駆動電圧の変化に対して液晶応答速度が十分に早くないために、必ずしも１フレーム期間内で所望の信号レベルに到達するとは限らない。そこで、オーバードライブ処理を行なうことで、映像信号レベルを強調し、所望の信号レベルへの遷移期間を短くする。この時、適したオーバードライブ補正量は、現フレームの映像信号レベルと１フレーム前の映像信号レベル、及び液晶表示パネルの応答特性によって決定する。
【００５７】
一方、オーバードライブ補正処理を行なったとしても必ずしも１フレーム期間内で所望の信号レベルに到達するとは限らない。所望の信号レベルに到達していない場合、オーバードライブ補正量を算出する際に使用する１フレーム前の映像信号レベルと、実際に１フレーム前に到達している信号レベルとに差異が生じることになる。
【００５８】
第６実施形態では、到達する信号レベルを予め予測することでオーバードライブ補正量を算出する際に生じる可能性のある誤差を低減する例を説明する。なお、オーバードライブ補正処理を例として説明するが、フレーム間補正処理において処理結果に誤差が生じる可能性のある処理においても同様に適用できるものである。
【００５９】
図６は、第６実施形態に係る映像表示装置の機能ブロック図である。前述の実施形態と同じ構成要素については同一の参照符号を付している。図６において、６０１はフレームメモリ部、６０２はフレーム間変化検知部、６０３は到達予測部、６０４はフレーム間補正量取得部である。なお、前述の通り、フレーム間補正処理はオーバードライブ補正処理として、また、画素間補正処理はディスクリネーション補正処理として説明する。
【００６０】
フレームメモリ部６０１は、図示しないメモリコントローラを含み、入力される映像信号を格納し、少なくとも１フレーム遅延させてフレーム間変化検知部６０２、及び到達予測部６０３へと出力する。また、フレームメモリ部６０１は、映像補正量決定部１０４で決定した補正量を格納し、少なくとも１フレーム遅延させて到達予測部６０３へと出力する。
【００６１】
フレーム間変化検知部６０２は、現フレームの映像信号レベルと、少なくとも１フレーム前の映像信号レベルとに応じて、着目画素の映像信号レベルにフレーム間で変化があったか否かを検知し、変化の検知有無をフレーム間補正量取得部６０４へと出力する。
【００６２】
到達予測部６０３は、図示しない液晶表示パネルを駆動する際に、実際に到達している電圧レベルに対応した到達信号レベルを予測してフレーム間補正量取得部６０４へと出力する。具体的には、フレームメモリ部６０１に格納された少なくとも１フレーム前の映像信号レベルと、少なくとも１フレーム前の補正量とに基づいて算出する。例えば、映像信号レベルと補正量との組合せに応じて、液晶表示パネルが１フレーム期間経過後に実際に到達する信号レベルが記憶されたＬＵＴから選択して出力する。
【００６３】
フレーム間補正量取得部６０４は、現フレームの映像信号レベルと、到達信号レベルとに応じて、オーバードライブ補正量の対応付けが行われたＬＵＴを有し、着目画素毎にオーバードライブ補正量を選択してフレーム間補正量として出力する。但し、この時、フレーム間変化検知部６０２の検知結果が「無」の場合は、オーバードライブ補正量は０（オーバードライブ補正処理無効と同等）とする。
【００６４】
映像補正量決定部１０４は、フレーム間補正量と画素間補正量とに応じて、着目画素の映像信号レベルに対して適用する映像補正量を決定する。なお、映像補正量の処理フローは前述の実施形態で説明したものであれば、いずれの処理フローを適用しても良く、またそれら処理フローの組み合わせであっても良い。
【００６５】
以上説明したように、本実施形態によれば、複数の補正処理を共用した際の補正の過不足を低減することが可能である一方で、到達する信号レベルを予め予測することでオーバードライブ補正処理において生じる可能性のある誤差を低減することが可能となる。これによって良好な補正処理を実現することが可能となる。
【００６６】
映像表示デバイスとして液晶表示パネルを用いて説明したが、映像表示デバイスの応答特性を補償するものであれば何れのデバイスであってもよい。また、２つの補正処理として、オーバードライブ補正処理とディスクリネーション補正処理とを説明したが、フレーム間で補正量を算出する処理とフレーム内で補正量を算出する処理であれば同様に適用可能であり、また３つ以上の補正処理においても適用可能である。
【００６７】
また、特に映像補正量決定部１０４の処理フローは、前述の実施形態で説明した処理フローを組み合わせて実現してもよいし、複数の処理フローを選択する構成として、入力映像種別やユーザ調整、また映像表示デバイスの特性によって選択してもよい。
【００６８】
以上説明したように、本発明に係る映像表示装置によれば、補正処理対象とする着目画素のフレーム間の画像データを参照して補正する処理と、着目画素の周辺画素の画像データを参照して補正する処理とを共用した場合の補正程度の過不足を低減することが可能となる。
【００６９】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７０】
１０１：フレームメモリ部、１０２：フレーム間補正量取得部、１０３：画素間補正量取得部、１０４：映像補正量決定部、１０５：映像補正部、６０１：フレームメモリ部、６０２：フレーム間変化検知部、６０３：到達予測部、６０４：フレーム間補正量取得部
【図１】
2015219459.tif 000003
【図２】
2015219459.tif 000004
【図３】
2015219459.tif 000005
【図４】
2015219459.tif 000006
【図５】
2015219459.tif 000007
【図６】
2015219459.tif 000008